(57)【特許請求の範囲】
【請求項１】
表示パネルと、
前記表示パネルで他の部分に比べて輝度及び色度の少なくとも一つが異なるパネル欠陥位置に対応する補償値が保存されたメモリと、
前記パネル欠陥位置に表示されるデータを前記補償値で増減して補正する補償部と、
前記補償部からの補正データを前記表示パネルに表示する駆動部と、
を備え、
前記補償部が、
前記補償部と外部システムとの通信を行うインターフェース回路と、
前記インターフェース回路を介して送られてきたユーザーから提供されたピクセル位置と補償値からなるデータを一次的に保存して前記メモリのデータ更新を行うレジスタと、
前記メモリからパネル欠陥位置における補償値を読み出して前記パネル欠陥位置に表示されるデータを前記補償値で増減して補正データを発生する変調部と、
を含み、
前記表示パネルは、複数のデータラインと複数のゲートラインとが交差し、複数の液晶セルが配置される液晶表示パネルを備え、
前記駆動部は、
前記補正データを前記データラインに供給するデータ駆動回路と、
前記ゲートラインにスキャンパルスを供給するためのゲート駆動回路と、
前記各駆動回路を制御し、前記補正データを前記データ駆動回路に供給するためのタイミングコントローラと、
を備え、
前記補償部は、前記タイミングコントローラに内蔵され、
前記補償値は、前記パネル欠陥位置の位置別、前記パネル欠陥位置に表示されるデータの階調別にそれぞれに設定され、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なる
ことを特徴とする平板表示装置。
【請求項２】
前記メモリは、データの更新が可能な不揮発性メモリを含むことを特徴とする請求項１に記載の平板表示装置。
【請求項３】
前記不揮発性メモリは、ＥＥＰＲＯＭとＥＤＩＤ ＲＯＭのうち少なくともいずれか一つを含むことを特徴とする請求項２に記載の平板表示装置。
【請求項４】
表示パネルで他の部分に比べて輝度及び色度の少なくとも一つが異なるパネル欠陥位置で輝度及び色差を測定するステップと、
前記パネル欠陥位置に対応する補償値を設定するステップと、
前記パネル欠陥位置に表示されるデータを検出するステップと、
前記パネル欠陥位置に表示されるデータを前記補償値で増減して補正するステップと、
前記補正されたデータを前記表示パネルに表示するステップと、
を含み、
前記補償値を設定するステップが、前記パネル欠陥位置に対応する補償値を外部からユーザーが提供する補償値に更新するステップを含み、
前記補償値は、前記パネル欠陥位置の位置別、前記パネル欠陥位置に表示されるデータの階調別にそれぞれに設定され、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なる
ことを特徴とする平板表示装置の画質制御方法。
【発明の詳細な説明】
【技術分野】
【０００１】
本発明は、表示装置に係り、特に、パネル欠陥を電気的に補償することによって、画質を向上させる平板表示装置及びその画質制御方法に関する。
【背景技術】
【０００２】
最近、陰極線管の短所である重量及び体積を減少できる各種の平板表示装置が現れている。このような平板表示装置としては、液晶表示装置（Ｌｉｑｕｉｄ Ｃｒｙｓｔａｌ Ｄｉｓｐｌａｙ：ＬＣＤ）、電界放出表示装置（Ｆｉｅｌｄ Ｅｍｉｓｓｉｏｎ Ｄｉｓｐｌａｙ：ＦＥＤ）、プラズマディスプレイパネル（Ｐｌａｓｍａ Ｄｉｓｐｌａｙ Ｐａｎｅｌ：ＰＤＰ）及び有機発光素子（Ｏｒｇａｎｉｃ Ｌｉｇｈｔ Ｅｍｉｔｔｉｎｇ Ｄｉｏｄｅ：ＯＬＥＤ）表示装置などがある。
【０００３】
このような平板表示装置は、画像を表示するための表示パネルを備え、このような表示パネルには、テスト過程でパネル欠陥またはむらが発見されている。ここで、むらとは、パネル欠陥が表示画面上、輝度差を伴う表示むらをいう。このようなパネル欠陥は、ほとんど製造工程で発生し、その発生原因によって、点、線、帯、円、多角形のような定型的な形状を有するか、または不定型的な形状を有する。このように多様な形状を有するパネル欠陥の例を図１ないし図３に示した。図１は、不定型のパネル欠陥を示し、図２は、垂直の帯状のパネル欠陥を示し、図３は、点状のパネル欠陥を示す。そのうち、垂直の帯状のパネル欠陥は、主に重複露光、レンズ収差などの原因により発生し、点状のパネル欠陥は、主に異物などにより発生する。このようなパネル欠陥位置に表示される画像は、周辺の非欠陥領域に比べてさらに暗いか、またはさらに明るく見られ、また、他の非欠陥領域に比べて色差が異なることになる。
【０００４】
このようなパネル欠陥は、その程度によって製品の不良につながることもあり、このような製品の不良は、収率を低下させ、これは、コストの上昇につながる。また、たとえこのようなパネル欠陥が発見された製品が良品で出荷されるとしても、パネル欠陥により低下した画質は、製品の信頼度を低下させる。
【発明の開示】
【発明が解決しようとする課題】
【０００５】
したがって、パネル欠陥を改善するために、多様な方法が提案されてきた。しかし、従来の改善方案は、ほとんど製造工程上で問題点を解決しようとするものであり、改善された工程上で発生するパネル欠陥に対しては適切に対処し難いという短所がある。
【０００６】
本発明の目的は、パネル欠陥を電気的に補償することによって、画質を向上させる平板表示装置及びその画質制御方法を提供するところにある。
【課題を解決するための手段】
【０００７】
前記目的を達成するために、本発明による平板表示装置は、表示パネル、前記表示パネルで他の部分に比べて輝度及び色度の少なくとも一つが異なるパネル欠陥位置に対応する補償値が保存されたメモリ、前記パネル欠陥位置に表示されるデータを前記補償値で増減して補正する補償部、前記補償部からの補正データを前記表示パネルに表示する駆動部を備え、前記補償部が、前記補償部と外部システムとの通信を行うインターフェース回路と、前記インターフェース回路を介して送られてきたユーザーから提供されたピクセル位置と補償値からなるデータを一次的に保存して前記メモリのデータ更新を行うレジスタと、前記メモリからパネル欠陥位置における補償値を読み出して前記パネル欠陥位置に表示されるデータを前記補償値で増減して補正データを発生する変調部とを含み、前記表示パネルは、複数のデータラインと複数のゲートラインとが交差し、複数の液晶セルが配置される液晶表示パネルを備え、前記駆動部は、前記補正データを前記データラインに供給するデータ駆動回路と、前記ゲートラインにスキャンパルスを供給するためのゲート駆動回路と、前記各駆動回路を制御し、前記補正データを前記データ駆動回路に供給するためのタイミングコントローラとを備え、前記補償部は、前記タイミングコントローラに内蔵され、前記パネル欠陥位置の位置別、前記パネル欠陥位置に表示されるデータの階調別にそれぞれに設定され、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なることを特徴とする。
【０００８】
前記補償値は、前記パネル欠陥位置の位置別、前記パネル欠陥位置に表示されるデータの階調別にそれぞれに設定される。
【０００９】
前記補償値は、赤色データを補償するためのＲ補償値、緑色データを補償するためのＧ補償値、及び青色データを補償するためのＢ補償値を含み、前記Ｒ補償値、前記Ｇ補償値及び前記Ｂ補償値は、同じパネル欠陥位置及び同じ階調で同じ値に設定される。
【００１０】
前記補償値は、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なる。
【００１１】
前記メモリは、データの更新が可能な不揮発性メモリを含む。
【００１２】
前記不揮発性メモリは、ＥＥＰＲＯＭとＥＤＩＤ ＲＯＭのうち少なくともいずれか一つを含む。
【００１３】
前記表示パネルは、複数のデータラインと複数のゲートラインとが交差し、複数の液晶セルが配置される液晶表示パネルを備え、前記駆動部は、前記補正データを前記データラインに供給するデータ駆動回路、前記ゲートラインにスキャンパルスを供給するためのゲート駆動回路、及び前記各駆動回路を制御し、前記補正データを前記データ駆動回路に供給するためのタイミングコントローラを備える。
【００１４】
前記補償部は、前記タイミングコントローラに内蔵される。
【００１５】
本発明の実施の形態による平板表示装置の画質制御方法は、表示パネルで他の部分に比べて輝度及び色度の少なくとも一つが異なるパネル欠陥位置で輝度及び色差を測定するステップ、前記パネル欠陥位置に対応する補償値を設定するステップ、前記パネル欠陥位置に表示されるデータを検出するステップ、前記パネル欠陥位置に表示されるデータを前記補償値で増減して補正するステップ、前記補正されたデータを前記表示パネルに表示するステップと、を含み、前記補償値を設定するステップが、前記パネル欠陥位置に対応する補償値を外部からユーザーが提供する補償値に更新するステップを含み、前記補償値は、前記パネル欠陥位置の位置別、前記パネル欠陥位置に表示されるデータの階調別にそれぞれに設定され、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なることを特徴とする。
【００１６】
前記補償値は、前記パネル欠陥位置の位置別、前記パネル欠陥位置に表示されるデータの階調別にそれぞれに設定される。
【００１７】
前記補償値は、赤色データを補償するためのＲ補償値、緑色データを補償するためのＧ補償値、及び青色データを補償するためのＢ補償値を含み、前記Ｒ補償値、前記Ｇ補償値及び前記Ｂ補償値は、同じパネル欠陥位置及び同じ階調で同じ値に設定される。
【００１８】
前記補償値は、赤色データを補償するためのＲ補償値、緑色データを補償するためのＧ補償値、及び青色データを補償するためのＢ補償値を含み、同じパネル欠陥位置及び同じ階調で前記Ｒ補償値、前記Ｇ補償値及び前記Ｂ補償値のうち少なくとも一つの補償値が他の補償値と異なる。
【発明の効果】
【００１９】
本発明による平板表示装置及びその画質制御方法は、回路を利用してパネル欠陥を電気的に補償することによって、パネル欠陥を完全に補償できる。
【発明を実施するための最良の形態】
【００２０】
前記目的以外に本発明の他の目的及び特徴は、添付した図面を参照した実施の形態についての説明を通じて明白に表れる。
【００２１】
以下、図４ないし図１３を参照して、本発明の望ましい実施の形態について説明する。
【００２２】
図４は、本発明の実施の形態による平板表示装置の画質制御方法を示す図面である。
【００２３】
図４に示すように、本発明の実施の形態による平板表示装置の画質制御方法は、まず、パネル欠陥を補償するために、カメラなどの測定装備を利用して試片の平板表示装置に入力信号を印加した後、画面状態を測定する（Ｓ１）。ステップＳ１で、本発明の実施の形態による平板表示装置の画質制御方法は、平板表示装置の入力信号を最低階調（Ｂｌａｃｋ）から最高階調（Ｗｈｉｔｅ）に一階調ずつ増加させつつ、試片の平板表示装置の表示画像を、その試片の平板表示装置よりさらに高い解像度を有し、さらに高い輝度分解能を有するカメラなどの測定装備で測定する。例えば、本発明の実施の形態による平板表示装置の画質制御方法は、ＲＧＢそれぞれ８ビットずつ入力信号を受け、１３６６×７６８の解像度を有する平板表示装置の場合、０から２５５階調まで総２５６個の画面を測定し、このとき、測定された各画面は、１３６６×７６８以上の解像度を有し、輝度は、最小８ビット以上の解像度を有さねばならない。
【００２４】
このように測定された結果を分析して、本発明の実施の形態による平板表示装置の画質制御方法は、パネル欠陥の発生の有無を把握した後、その結果、試片の平板表示装置にパネル欠陥が存在すると判断されれば、本発明の実施の形態による平板表示装置の画質制御方法は、パネル欠陥の輝度または色差を補正するための補償値を設定した後、その補償値で入力ビデオデータを変調してパネル欠陥位置の輝度または色差を補償する（Ｓ２）。ステップＳ２で、本発明の実施の形態による平板表示装置の画質制御方法は、ステップＳ１で測定された結果から、各階調別にパネル欠陥位置及びその程度を把握した後、補償値を決定する。補償値は、パネル欠陥位置によって、輝度または色差の不均一程度が異なるため、位置別に最適化され、また、図５のようなガンマ特性を考慮して、各階調別に最適化されねばならない。したがって、補償値は、Ｒ，Ｇ，Ｂそれぞれで各階調別に設定されるか、または図５で複数の階調を含む階調区間Ａ，Ｂ，Ｃ，Ｄ別に設定される。例えば、補償値は、’パネル欠陥１’位置で’＋１’、’パネル欠陥２’位置で’−１’、’パネル欠陥３’位置で’０’と位置別に最適化された値に設定され、また、’階調区間Ａ’で’０’、’階調区間Ｂ’で’０’、’階調区間Ｃ’で’１’、’階調区間Ｄ’で’１’と階調区間別に最適化された値に設定される。したがって、補償値は、同じパネル欠陥位置で階調別に異なり、また、同じ階調でパネル欠陥位置別に異なりうる。このような補償値は、輝度の補正時に一つのピクセルのＲ，Ｇ，Ｂデータそれぞれに同じ値に設定されて、Ｒ，Ｇ，Ｂサブピクセルを含んだ一つのピクセル単位に決定される。また、補償値は、色差の補正時にＲ，Ｇ，Ｂデータそれぞれに異なって設定される。例えば、特定のパネル欠陥位置で赤色が非欠陥位置より目立って見られれば、Ｒ補償値は、Ｇ，Ｂ補償値に比べて小さくなる。このように設定された補償値は、パネル欠陥位置のデータと共にルックアップテーブルとしてテーブル化されて不揮発性メモリに保存される。
【００２５】
本発明の実施の形態による平板表示装置の画質制御方法は、ステップＳ２で設定された補償値を利用して、パネル欠陥位置に表示される入力デジタルビデオデータに選択的に加算または減算して、該当デジタルビデオデータを変調する（Ｓ３）。これを詳細に説明すれば、ステップＳ３は、入力デジタルビデオデータの表示位置と階調とを判断し、その入力デジタルビデオデータがパネル欠陥位置に表示されるデータと判断されれば、そのデータに既定の補償値を加算または減算して表示むらを補償する。例えば、本発明の実施の形態による平板表示装置の画質制御方法は、入力デジタルビデオデータの表示位置を不揮発性メモリに保存されたパネル欠陥位置と比較した結果、入力デジタルビデオデータがパネル欠陥位置に表示されるデータと判断され、このパネル欠陥位置の入力デジタルビデオデータの階調による補償値が２階調を高めるための’２’に設定された場合、本発明の実施の形態による平板表示装置の画質制御方法は、入力デジタルビデオデータに２を加算することによって、表示むらを補償する。そして、本発明の実施の形態による平板表示装置の画質制御方法は、入力デジタルビデオデータの表示位置を不揮発性メモリに保存されたパネル欠陥位置と比較した結果、入力デジタルビデオデータがパネル欠陥位置に表示されるデータと判断され、このパネル欠陥位置の入力デジタルビデオデータの階調による補償値が２階調を低くするための’−２’に設定された場合、本発明の実施の形態による平板表示装置の画質制御方法は、入力デジタルビデオデータに−２を加算することによって、表示パネル欠陥を補償する。そして、本発明の実施の形態による平板表示装置の画質制御方法は、入力デジタルビデオデータの表示位置を不揮発性メモリに保存されたパネル欠陥位置と比較した結果、入力デジタルビデオデータがパネル欠陥位置に表示されるデータと判断され、このパネル欠陥位置の入力デジタルビデオデータの階調による補償値が２階調を低くするための’２’に設定された場合、本発明の実施の形態による平板表示装置の画質制御方法は、入力デジタルビデオデータに２を減算することによって、表示パネル欠陥を補償する。
【００２６】
このような入力信号の補正ステップＳ３のために、本発明による平板表示装置は、図６に示したように、ビデオデータを入力されて、それを変調して表示パネル１１１の駆動部１１０に供給する補償回路１０５を備える。
【００２７】
図７は、本発明の実施の形態によるＬＣＤを示す図面である。
【００２８】
図７に示すように、本発明の第１実施の形態によるＬＣＤは、データライン１０６とゲートライン１０８とが交差し、その交差部に、液晶セルＣｌｃを駆動するためのＴＦＴが形成された液晶表示パネル１０３、補正されたデジタルビデオデータＲｃ／Ｇｃ／Ｂｃを発生させる補償回路１０５、補正されたデジタルビデオデータＲｃ／Ｇｃ／Ｂｃを利用してデータライン１０６を駆動するデータ駆動回路１０１、ゲートライン１０８にスキャンパルスを供給するゲート駆動回路１０２、及びデータ駆動回路１０１とゲート駆動回路１０２とを制御するタイミングコントローラ１０４を備える。例えば液晶表示パネル１０３が図６の表示パネル１１１に相当し、データ駆動回路１０１、ゲート駆動回路１０２及びタイミングコントローラ１０４が図６の駆動部１１０に相当する。
【００２９】
液晶表示パネル１０３は、二枚の基板（ＴＦＴ基板、カラーフィルタ基板）の間に液晶分子が注入される。ＴＦＴ基板上に形成されたデータライン１０６とゲートライン１０８は、相互に直交する。データライン１０６とゲートライン１０８の交差部に形成されたＴＦＴは、ゲートライン１０８からのスキャン信号に応答して、データライン１０６を経由して供給されるアナログガンマ補償電圧を液晶セルＣｌｃの画素電極に供給する。カラーフィルタ基板上には、図示していないブラックマトリックス、カラーフィルタ及び共通電極が形成される。この液晶表示パネル１０３上で、一つのピクセルは、Ｒサブピクセル、Ｇサブピクセル及びＢサブピクセルを含む。一方、カラーフィルタ基板に形成される共通電極は、電界印加方式によってＴＦＴ基板に形成される。ＴＦＴ基板及びカラーフィルタ基板には、互いに垂直の偏光軸を有する偏光板がそれぞれ付着される。
【００３０】
補償回路１０５は、システムインターフェースから入力デジタルビデオデータＲｉ／Ｇｉ／Ｂｉを供給されて、パネル欠陥位置に供給される入力デジタルビデオデータＲｉ／Ｇｉ／Ｂｉを変調して、補正されたデジタルビデオデータＲｃ／Ｇｃ／Ｂｃを発生させる。このような補償回路１０５については、後述する。
【００３１】
タイミングコントローラ１０４は、補償回路１０５を経由して供給される垂直／水平同期信号Ｖｓｙｎｃ，Ｈｓｙｎｃ、データイネーブル信号ＤＥ及びドットクロックＤＣＬＫを利用して、ゲート駆動回路１０２を制御するためのゲート制御信号ＧＤＣ、データ駆動回路１０１を制御するためのデータ制御信号ＤＤＣを発生させると共に、補正されたデジタルビデオデータＲｃ／Ｇｃ／ＢｃをドットクロックＤＣＬＫに合わせてデータ駆動回路１０１に供給する。
【００３２】
データ駆動回路１０１は、補正されたデジタルビデオデータＲｃ／Ｇｃ／Ｂｃが入力されて、このデジタルビデオデータＲｃ／Ｇｃ／Ｂｃをアナログガンマ補償電圧に変換して、タイミングコントローラ１０４の制御下で液晶表示パネル１０３のデータライン１０６に供給する。
【００３３】
ゲート駆動回路１０２は、スキャン信号をゲートライン１０８に供給することによって、そのゲートライン１０８に接続されたＴＦＴをターンオンさせて、データのピクセル電圧、すなわちアナログガンマ補償電圧が供給される１水平ラインの液晶セルＣｌｃを選択する。データ駆動回路１０１から発生するアナログガンマ補償電圧は、スキャンパルスに同期されることによって、選択された１水平ラインの液晶セルＣｌｃに供給される。
【００３４】
以下、図８ないし図１０Ｂを参照して、補償回路１０５について詳細に説明する。
【００３５】
図８に示すように、補償回路１０５は、パネル欠陥位置及び補償値が保存されるメモリ１１６、入力デジタルビデオデータＲｉ，Ｇｉ，Ｂｉとメモリ１１６に保存されたパネル欠陥位置及び補償値を利用して補正されたデジタルビデオデータＲｃ，Ｇｃ，Ｂｃとを発生させる変調部１１５、補償回路１０５と外部システムとの通信のためのインターフェース回路１１７、及びメモリ１１６に保存されるパネル欠陥位置及び補償値が臨時保存されるレジスタ１１８を備える。
【００３６】
メモリ１１６には、パネル欠陥位置と共に、パネル欠陥の各位置別に入力デジタルビデオデータＲｉ／Ｇｉ／Ｂｉの階調による補償値についてのデータが保存される。階調による補償値とは、各階調に対応する補償値をいい、この補償値は、二つ以上の階調を含む階調区間に対応して設定される。階調区間別に補償値が設定される場合、メモリ１１６には、階調区間についての情報、すなわち階調区間が含む階調についての情報も保存される。このメモリ１１６は、外部システムからの電気的信号により、パネル欠陥位置及び補償値についてのデータの更新が可能なＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ Ｏｎｌｙ Ｍｅｍｏｒｙ）を含む。
【００３７】
一方、メモリ１１６として、ＥＥＰＲＯＭの代わりにＥＤＩＤ ＲＯＭ（Ｅｘｔｅｎｄｅｄ Ｄｉｓｐｌａｙ Ｉｄｅｎｔｉｆｉｃａｔｉｏｎ Ｄａｔａ ＲＯＭ）を利用できる。ＥＤＩＤ ＲＯＭは、パネル欠陥補償関連のデータを別途の保存空間に保存し、その補償関連のデータ以外にモニタ情報データとして販売者／生産者識別情報及び基本表示素子の変数及び特性などを保存する。ＥＥＰＲＯＭの代わりにＥＤＩＤ ＲＯＭにパネル欠陥補償データを保存する場合に、ＲＯＭ記録器（図示せず）は、ＤＤＣ（Ｄａｔａ Ｄｉｓｐｌａｙ Ｃｈａｎｎｅｌ）を通じてパネル欠陥補償データを伝送する。以下、パネル欠陥補償データが保存されるメモリは、ＥＥＰＲＯＭと仮定して説明する。
【００３８】
インターフェース回路１１７は、補償回路１０５と外部システムとの通信のための構成であって、このインターフェース回路１１７は、Ｉ２Ｃなどの通信標準プロトコル規格に合わせて設計される。外部システムでは、このインターフェース回路１１７を通じてメモリ１１６に保存されたデータを読み取るか、または修正できる。すなわち、メモリ１１６に保存されたピクセル位置ＰＤ及び補償値ＣＤについてのデータは、工程上の変化、適用モデル間の差のような理由により更新が要求され、ユーザーは、更新しようとするピクセル位置ＵＰＤ及び補償値ＵＣＤについてのデータを外部システムから供給して、メモリ１１６に保存されたデータを修正できる。
【００３９】
レジスタ１１８には、不揮発性メモリをアップデートするために、インターフェース回路１１７を通じて伝送されるピクセル位置ＵＰＤ及び補償値ＵＣＤのデータが臨時保存される。
【００４０】
変調部１１５は、入力デジタルビデオデータＲｉ／Ｂｉ／Ｇｉがメモリ１１６に保存されたパネル欠陥位置に供給されるビデオデータであるか否かを判断して、入力デジタルビデオデータＲｉ／Ｂｉ／Ｇｉがパネル欠陥位置に供給されるビデオデータであれば、メモリ１１６からこのパネル欠陥位置についての階調別の補償値を読み取って、補正されたデジタルビデオデータＲｃ／Ｂｃ／Ｇｃを発生する。
【００４１】
変調部１１５のパネル欠陥補償アルゴリズムを、図９を参照して詳細に説明すれば、変調部１１５は、まず、垂直／水平同期信号Ｖｓｙｎｃ，Ｈｓｙｎｃ、データイネーブル信号ＤＥ及びドットクロックＤＣＬＫを利用して、入力デジタルビデオデータＲｉ／Ｇｉ／Ｂｉの位置を把握する。メモリ１１６に保存されたパネル欠陥位置を参照して、入力デジタルビデオデータＲｉ／Ｇｉ／Ｂｉの位置がパネル欠陥位置に該当すれば、この位置データと入力デジタルビデオデータＲｉ／Ｇｉ／Ｂｉとの階調領域を分析して、メモリ１１６からデータを読み取るためのアドレス値を生成する。このアドレス値が指示する不揮発性メモリのアドレスには、パネル欠陥の各位置別に入力デジタルビデオデータＲｉ／Ｇｉ／Ｂｉの階調による補償値（Ｒ＿増減量、Ｇ＿増減量、Ｂ＿増減量）データが保存されており、この補償値（Ｒ＿増減量、Ｇ＿増減量、Ｂ＿増減量）によって入力デジタルビデオデータＲｉ／Ｇｉ／Ｂｉを増減して、補正されたビデオデータＲｃ／Ｇｃ／Ｂｃを生成する。ここで、同じパネル欠陥位置及び同じ階調で一つのピクセルについての補償値（Ｒ＿増減量、Ｇ＿増減量、Ｂ＿増減量）は、赤色データを補償するためのＲ補償値、緑色データを補償するためのＧ補償値及び青色データを補償するためのＢ補償値が同じ値に設定されるか、またはこのＲ補償値、Ｇ補償値及びＢ補償値のうち少なくとも一つの補償値が他の補償値と異なって設定される。例えば、図１０Ａに示すように、Ｒ補償値、Ｇ補償値及びＢ補償値に対して同一に１階調の増加の補償値が設定されるか、または図１０Ｂに示すように、Ｒ補償値は、１階調の増加の補償値が設定され、Ｇ補償値及びＢ補償値は、０階調を補償する補償値、すなわちＲ補償値によりＲサブピクセルに対してのみ１階調を補償し、Ｇサブピクセル及びＢサブピクセルに対しては、階調を補償しない補償値が設定される。このように、Ｒサブピクセルに対してのみ１階調を補償する場合、このＲサブピクセルを含むピクセルでは、赤色の色感が強くなる色差補正が行われる。
【００４２】
さらに図１０Ａの輝度補正のための補償値と、図１０Ｂの色度補正のための補償値とを組み合わせた補償値にすれば、輝度補正と色差補正を同時に行える。
【００４３】
前記のような補償回路１０５は、タイミングコントローラ１０４と共にワンチップ化されて集積される。
【００４４】
一方、液晶表示パネル１０３で画面を構成する最小単位である図１１の（ａ）に示すピクセルは、図１１の（ｂ）に示すように、Ｒ，Ｇ，ＢのサブピクセルＳｕｂ−Ｐｉｘｅｌ（Ｒ），Ｓｕｂ−Ｐｉｘｅｌ（Ｇ），Ｓｕｂ−Ｐｉｘｅｌ（Ｂ）で構成されることが一般的であるが、（ｃ）に示すように、Ｒ，Ｇ，ＢのサブピクセルＳｕｂ−Ｐｉｘｅｌ（Ｒ），Ｓｕｂ−Ｐｉｘｅｌ（Ｇ），Ｓｕｂ−Ｐｉｘｅｌ（Ｂ）に白色を表現するＷのサブピクセルＳｕｂ−Ｐｉｘｅｌ（Ｗ）がさらに含まれて構成されることもある。
【００４５】
Ｒ，Ｇ，Ｂ，Ｗのサブピクセルが一つのピクセルを構成する場合、変調部１１５では、図１２に示すように、Ｗのサブピクセルの階調補償のみでパネル欠陥を補償でき、また、図１３のように、Ｒ，Ｇ，Ｂ，Ｗのサブピクセルそれぞれについての補償値が適用される場合、階調補償及び色差補正が同時に行われる。
【００４６】
前記の実施の形態では、補償回路１０５をＬＣＤに適用した場合を例として挙げたが、このような補償回路１０５は、ＬＣＤ以外の他の平板表示装置でもその適用が可能である。
【００４７】
前述したように、本発明による平板表示装置及びその画質制御方法は、回路を利用してパネル欠陥を電気的に補償することによって、パネル欠陥を完全に補償でき、その結果、パネル欠陥が存在する表示パネルで表示品質を向上させる。
【産業上の利用可能性】
【００４８】
本発明は、表示装置関連の技術分野に適用可能である。
【図面の簡単な説明】
【００４９】
【図１】不定型のパネル欠陥を示す図面である。
【図２】垂直の帯状のパネル欠陥を示す図面である。
【図３】点状のパネル欠陥を示す図面である。
【図４】本発明のパネル欠陥補償ステップを示す図面である。
【図５】ガンマ特性を示す図面である。
【図６】本発明による平板表示装置を示す図面である。
【図７】本発明の一実施の形態によるＬＣＤを示す図面である。
【図８】図７の補償回路を示す図面である。
【図９】図８の変調部のパネル欠陥補償アルゴリズムを示す図面である。
【図１０Ａ】本発明による階調補償例を示す図面である。
【図１０Ｂ】本発明による階調補償例を示す図面である。
【図１１】本発明によるピクセルの構成例を示す図面である。
【図１２】本発明によるＲ，Ｇ，Ｂ，Ｗのピクセルについての補償例を示す図面である。
【図１３】本発明によるＲ，Ｇ，Ｂ，Ｗのピクセルについての補償例を示す図面である。
【符号の説明】
【００５０】
１０１  データ駆動回路、１０２  ゲート駆動回路、１０３  液晶表示パネル、１０４  タイミングコントローラ、１０５  補償回路、１０６  データライン、１０８  ゲートライン、１１０  駆動部、１１１  表示パネル、１１５  変調部、１１６  不揮発性メモリ、１１７  インターフェース回路、１１８  レジスタ。
【図１】
0004787081.tif 000002
【図２】
0004787081.tif 000003
【図３】
0004787081.tif 000004
【図４】
0004787081.tif 000005
【図５】
0004787081.tif 000006
【図６】
0004787081.tif 000007
【図７】
0004787081.tif 000008
【図８】
0004787081.tif 000009
【図９】
0004787081.tif 000010
【図１０Ａ】
0004787081.tif 000011
【図１０Ｂ】
0004787081.tif 000012
【図１１】
0004787081.tif 000013
【図１２】
0004787081.tif 000014
【図１３】
0004787081.tif 000015